(57)【要約】【課題】ユーザにとって煩わしい操作を必要とすることなく、携帯型メディア機器内の更新情報に対して容易に選択を行えるようにした「オーディオ／ビデオ再生装置、オーディオ／ビデオシステム及び更新情報通知方法」を提供すること。【解決手段】オーディオ／ビデオ（Ａ／Ｖ）再生装置において、携帯型メディア機器（ＰＭＤ）が接続されている間に、該ＰＭＤに格納されている全ファイルのリストを作成して記憶手段に格納しておき（Ｓ１，Ｓ２）、該ＰＭＤとの接続が遮断されてから該ＰＭＤが再度接続されたときに（Ｓ３〜Ｓ５）、該ＰＭＤに格納されている全ファイルのリストを記憶手段に格納されているファイルリストと比較して、更新されたファイルの有無を検索し（Ｓ６）、新規ファイルが追加されている場合に（Ｓ７）その旨の案内情報を表示手段を介して通知する（Ｓ８）。【選択図】図３
2008041225.tif 000002
【特許請求の範囲】
【請求項１】
オーディオ／ビデオファイルを格納すると共にファイルのデータを出力する機能を備えた携帯型メディア機器に通信可能に接続されるオーディオ／ビデオ再生装置であって、
記憶手段と、
画面を介して情報を提供する表示手段と、
前記記憶手段及び表示手段に動作可能に接続され、前記携帯型メディア機器との接続及びその遮断を検出する機能を有する制御手段とを備え、
前記制御手段は、前記携帯型メディア機器との接続中に該携帯型メディア機器に格納されている全ファイルのリストを作成して前記記憶手段に格納し、該携帯型メディア機器との接続が遮断されてから該携帯型メディア機器との再接続を検出したときに、該携帯型メディア機器に格納されている全ファイルのリストを前記記憶手段に格納されているファイルリストと比較し、新規ファイルが追加されていると判定したときにその旨の案内情報を前記表示手段の画面に表示させることを特徴とするオーディオ／ビデオ再生装置。
【請求項２】
前記制御手段は、接続される携帯型メディア機器を固有に特定する識別情報を保有し、前記携帯型メディア機器との接続中に該携帯型メディア機器に格納されている全ファイルのリストを作成したときに、該ファイルリストを該携帯型メディア機器の識別情報に対応させて前記記憶手段に格納することを特徴とする請求項１に記載のオーディオ／ビデオ再生装置。
【請求項３】
オーディオ／ビデオファイルを格納すると共にファイルのデータを出力する機能を備えた携帯型メディア機器に通信可能に接続されるオーディオ／ビデオ再生装置であって、
記憶手段と、
画面を介して情報を提供する表示手段と、
前記記憶手段及び表示手段に動作可能に接続され、前記携帯型メディア機器との接続及びその遮断を検出する機能と共にタイマ機能を有する制御手段とを備え、
前記制御手段は、前記携帯型メディア機器との接続の遮断を検出したときに前記タイマ機能に基づいて該遮断時の時刻の情報を前記記憶手段に格納し、該携帯型メディア機器との再接続を検出したときに、前記遮断時の時刻の情報を基に、該携帯型メディア機器に格納されている全ファイルのうち当該時刻以降に更新されたファイルの有無を検索し、新規ファイルが追加されていると判定したときにその旨の案内情報を前記表示手段の画面に表示させることを特徴とするオーディオ／ビデオ再生装置。
【請求項４】
前記制御手段は、接続される携帯型メディア機器を固有に特定する識別情報を保有し、前記携帯型メディア機器との接続の遮断を検出したときに、該遮断時の時刻の情報を該携帯型メディア機器の識別情報に対応させて前記記憶手段に格納することを特徴とする請求項３に記載のオーディオ／ビデオ再生装置。
【請求項５】
前記制御手段は、前記表示手段の画面に表示された前記案内情報に対して新規追加ファイルの再生の指示があったときに、前記記憶手段に格納されている全ファイルのリストの中から当該新規追加ファイルのみを抽出してリスト表示させることを特徴とする請求項１又は３に記載のオーディオ／ビデオ再生装置。
【請求項６】
前記制御手段は、前記表示手段の画面に表示された前記案内情報に対して新規追加ファイルの再生の指示があったときに、前記記憶手段に格納されている全ファイルをリスト表示させるとともに当該新規追加ファイルの情報を相対的に目立つ表示態様で表示させることを特徴とする請求項１又は３に記載のオーディオ／ビデオ再生装置。
【請求項７】
請求項１から６のいずれか一項に記載のオーディオ／ビデオ再生装置を備えたオーディオ／ビデオシステムであって、
前記携帯型メディア機器は、自己を特定する識別情報を保有すると共に、外部から取り込んだオーディオ／ビデオファイルを格納する記憶手段を備え、
前記携帯型メディア機器と前記オーディオ／ビデオ再生装置の接続が遮断されている間に新規ファイルを前記記憶手段に取り込み、前記携帯型メディア機器が前記オーディオ／ビデオ再生装置に接続されている間に当該ファイルのデータを前記識別情報と共に前記オーディオ／ビデオ再生装置に出力することを特徴とするオーディオ／ビデオシステム。
【請求項８】
前記オーディオ／ビデオ再生装置は車両に搭載されていることを特徴とする請求項７に記載のオーディオ／ビデオシステム。
【請求項９】
オーディオ／ビデオファイルを格納すると共にファイルのデータを出力する機能を備えた携帯型メディア機器に通信可能に接続されるオーディオ／ビデオ再生装置において、
前記携帯型メディア機器が接続されている間に、該携帯型メディア機器に格納されている全ファイルのリストを作成して記憶手段に格納しておき、
前記携帯型メディア機器との接続が遮断されてから該携帯型メディア機器が再度接続されたときに、該携帯型メディア機器に格納されている全ファイルのリストを前記記憶手段に格納されているファイルリストと比較して更新されたファイルの有無を検索し、
新規ファイルが追加されている場合にその旨の案内情報を表示手段を介して通知することを特徴とする更新情報通知方法。
【請求項１０】
オーディオ／ビデオファイルを格納すると共にファイルのデータを出力する機能を備えた携帯型メディア機器に通信可能に接続されるオーディオ／ビデオ再生装置において、
前記携帯型メディア機器との接続が遮断されたときに、該遮断時の時刻の情報を記憶手段に格納し、
前記携帯型メディア機器が再度接続されたときに、前記遮断時の時刻の情報を基に、該携帯型メディア機器に格納されている全ファイルのうち当該時刻以降に更新されたファイルの有無を検索し、
新規ファイルが追加されている場合にその旨の案内情報を表示手段を介して通知することを特徴とする更新情報通知方法。
【発明の詳細な説明】
【技術分野】
【０００１】
本発明は、オーディオ／ビデオ（Ａ／Ｖ）再生装置、Ａ／Ｖシステム及び更新情報通知方法に関し、より詳細には、携帯型メディア機器に通信可能に（例えば、ケーブル等を介して着脱自在に）接続されるＡ／Ｖ再生装置において携帯型メディア機器内の情報コンテンツ（ファイル）を選択するのに有用な技術に関する。
【０００２】
以下の記述では、携帯型メディア機器を、便宜上「ＰＭＤ(Portable Media Device) 」ともいう。
【背景技術】
【０００３】
近年、放送サービスのデジタル化が進み、双方向サービスや蓄積型サービス等の各種サービスが始まっており、また、ネットワークのブロードバンド化等により、ＣＤプレーヤやＤＶＤプレーヤ等のオーディオ／ビデオ（Ａ／Ｖ）情報関連機器はネットワーク化し、パーソナルコンピュータ（ＰＣ）もＡ／Ｖ機器化している。このような背景の下に、車載システムにおいても、車両に搭載されている各種Ａ／Ｖ機器に、再生用の音楽ファイル等を格納した携帯型メディア機器（ＰＭＤ）を接続して音楽を聴くことが考えられる。
【０００４】
かかる携帯型メディア機器の一つとして最近脚光を浴びているものにｉＰｏｄ（アップル・コンピュータ社製のデジタル音楽プレーヤ）がある。ｉＰｏｄの場合、インターネット等を介して配信された音楽ファイルをいったんＰＣにダウンロードし、さらにこのＰＣからｉＰｏｄにチェックアウト（転送）した音楽ファイルの情報をイヤホン等で聴くことができる。車載システムに適用する場合には、さらにＵＳＢ(Universal Serial Bus)ケーブル等を介してｉＰｏｄを車載のＡ／Ｖ再生装置に接続し、ｉＰｏｄに格納されている音楽ファイルの情報（楽曲データ）をＡ／Ｖ再生装置に取り込んで再生出力することで、車載スピーカを介してその音楽を聴くことができる。
【０００５】
かかるシステムにおいて、車載機側で所望の音楽を享受しようとする場合、従来の技術では、ＰＭＤ（ｉＰｏｄなど）に格納されている音楽ファイルを車載機側からのアクセスに基づいて車載モニタの画面にリスト表示し、ユーザがその表示されたファイルリストの中から所望の音楽ファイルを選択（アーティスト名やアルバム名などを検索して選択）することで、当該ファイルの音楽を聴くことができるようになっている。つまり、従来の技術では、ＰＭＤを車載機等の外部機器に接続し、外部機器側からＰＭＤ内のファイルを適宜選択することで、当該ファイルの音楽を再生出力できるようになっている。
【０００６】
上記の従来技術に関連する技術としては、例えば、特許文献１に記載されるように、複数のＡ／Ｖ機器が接続されて構成されたネットワークシステムにおいて、各Ａ／Ｖ機器が備える再生対象のメディアに関するテキスト情報を取得し、取得したテキスト情報をそれぞれのＡ／Ｖ機器と対応付けた管理リストを生成するとともに、リモコンからの指示情報に従って管理リストから再生対象の楽曲データを選択し、選択した楽曲データを再生リストに追加し、さらに、再生リストに従って対象の楽曲データの再生を順次指示するようにしたものがある。また、特許文献２に記載されるように、デジタルコンテンツを記録した複数種類の記録メディアを再生するデジタル複合再生装置において、電源投入時にＤＶＤ再生装置等が再生可能なコンテンツを検索すると共に、チューナが受信可能な放送チャネルをメモリから読み出し、視聴可能なコンテンツを一元的に統合表示したコンテンツ情報リスト（コンテンツ名、記録メディア、記録日時などのコンテンツ選択に有用なデータ）を作成するようにしたものがある。
【特許文献１】特開２００２−５１３８７号公報
【特許文献２】特開２００４−１５１１５号公報
【発明の開示】
【発明が解決しようとする課題】
【０００７】
上述したように従来のＡ／Ｖシステムでは、音楽ファイル等を格納したｉＰｏｄ等のＰＭＤを車載機等の外部機器に接続し、必要に応じてＰＭＤ内のファイルを外部機器側のモニタ画面にリスト表示させ、そのファイルリストの中からファイルを選択することで、当該ファイルのデータを再生出力できるようになっている。
【０００８】
しかしながら、ＰＭＤに格納されているファイルは不変的ではなく、ＰＣ等を介して新たにファイルが取り込まれたり、あるいは既に保存されているファイルの一部が削除されたりするなど、ＰＭＤ内のファイルの数や種類は流動的に変化する。このため、外部機器に接続されていたＰＭＤをいったん外部機器から抜き去り、そのＰＭＤを再度外部機器に接続してＰＭＤ内のファイルを再生しようとするときに、以下の問題があった。
【０００９】
すなわち、ＰＭＤを外部機器から外している間にＰＣ等からＰＭＤに対して新たにファイルの転送が行われた場合（ＰＭＤに新規ファイルが追加された場合）、そのＰＭＤを再度外部機器に接続してそのファイルを再生させるためには、再度ユーザが外部機器上で所要の選択操作を行わなければならない。例えば、ｉＰｏｄをＰＣに接続して新たな音楽ファイルをｉＰｏｄに取り込み、その後にｉＰｏｄを車載機（Ａ／Ｖ再生装置）に接続した場合、ユーザは車載機上で音楽ファイルの検索（アーティスト検索、アルバム検索など）を行い選択しなければならない。特に、最近のＰＭＤはそのメモリ容量も大きく、数千曲又はそれ以上のファイル保存も可能なため、その中からユーザが自分の聴きたい曲を探すのは非常に面倒であり、そのための時間も相当かかってしまう。
【００１０】
図７はその場合のユーザ操作に基づいた検索処理の一例を示したものであり、ＰＭＤの抜去時点から再度の接続時点までの間に当該ＰＭＤに追加された新規ファイルを再生する場合の処理フローを示している。図７に示す各処理ブロックのうち、ユーザの操作を必要とする処理は梨地模様の付いたブロックであり、「ＰＭＤ抜去」、「ＰＭＤ接続」、「ＰＭＤソース選択」、「検索モード選択」、「検索方法選択」、「アーティスト／アルバム／曲検索」及び「アーティスト／アルバム／曲選択」の処理が該当している。また、図８は各処理を補足説明するための画面表示例を示したものであり、（ａ）は「ＰＭＤへ新規ファイルを転送」に係る転送前と転送後のアーティストリストの状態、（ｂ）は「検索方法選択」を行う場合の操作画面、（ｃ）は「アーティスト検索」を行う場合の操作画面をそれぞれ示している。
【００１１】
このように従来の技術では、ｉＰｏｄ等のＰＭＤを車載機等の外部機器から外している間に当該ＰＭＤに新規ファイルが追加された場合（ファイルが更新された場合）、そのＰＭＤを再度外部機器に接続してその新規追加ファイルを再生させるにはユーザによる検索処理（図７において「検索モード選択」以降の処理）が必要となるため、ユーザにとっては当該ファイルの再生に係る操作が煩わしいといった課題があった。特に、最近のＰＭＤではメモリ容量の増大に伴って膨大な数のファイルが保存されているため、上記の課題は一層顕著に表れる。
【００１２】
本発明は、かかる従来技術における課題に鑑み創作されたもので、ユーザにとって煩わしい操作を必要とすることなく、携帯型メディア機器内の更新情報に対して容易に選択を行えるようにしたオーディオ／ビデオ再生装置、オーディオ／ビデオシステム及び更新情報通知方法を提供することを目的とする。
【課題を解決するための手段】
【００１３】
上述した従来技術の課題を解決するため、本発明の一形態によれば、オーディオ／ビデオ（Ａ／Ｖ）ファイルを格納すると共にファイルのデータを出力する機能を備えた携帯型メディア機器（ＰＭＤ）に通信可能に接続されるＡ／Ｖ再生装置であって、記憶手段と、画面を介して情報を提供する表示手段と、前記記憶手段及び表示手段に動作可能に接続され、前記ＰＭＤとの接続及びその遮断を検出する機能を有する制御手段とを備え、前記制御手段は、前記ＰＭＤとの接続中に該ＰＭＤに格納されている全ファイルのリストを作成して前記記憶手段に格納し、該ＰＭＤとの接続が遮断されてから該ＰＭＤとの再接続を検出したときに、該ＰＭＤに格納されている全ファイルのリストを前記記憶手段に格納されているファイルリストと比較し、新規ファイルが追加されていると判定したときにその旨の案内情報を前記表示手段の画面に表示させることを特徴とするオーディオ／ビデオ（Ａ／Ｖ）再生装置が提供される。
【００１４】
この形態に係るオーディオ／ビデオ（Ａ／Ｖ）再生装置によれば、ＰＭＤが接続されている間に、該ＰＭＤに格納されている全ファイルのリストを作成して記憶手段に格納しておき、該ＰＭＤとの接続が遮断されてから該ＰＭＤが再度接続されたときに、該ＰＭＤに格納されている全ファイルのリストを記憶手段に格納されているファイルリストと比較することで、接続していたＰＭＤとの接続が遮断されてから再度接続されるまでの間に当該ＰＭＤに新規ファイルが追加されているかどうか（更新ファイルの有無）を検索するようにしている。そして、新規ファイルが追加されている場合には、その旨の案内情報を表示手段を介してユーザに通知するようにしている。
【００１５】
これにより、ユーザは、従来技術に見られたようにＰＭＤ内の全ファイル（更新ファイルの有無にかかわらず）に対して所要の検索／選択操作を行わなくても、画面に表示された案内情報を確認することで、ＰＭＤに新規ファイルが追加されているかどうかを知ることができる。そして、必要であれば、例えば新規ファイルのみを抽出して画面にリスト表示させることで、当該ファイルの選択（再生に係る操作）を行うことができる。つまり、ユーザにとって煩わしい操作を必要とすることなく、ＰＭＤ内の更新情報に対して容易に選択を行うことが可能となる。
【００１６】
また、本発明の他の形態によれば、オーディオ／ビデオ（Ａ／Ｖ）ファイルを格納すると共にファイルのデータを出力する機能を備えた携帯型メディア機器（ＰＭＤ）に通信可能に接続されるＡ／Ｖ再生装置であって、記憶手段と、画面を介して情報を提供する表示手段と、前記記憶手段及び表示手段に動作可能に接続され、前記ＰＭＤとの接続及びその遮断を検出する機能と共にタイマ機能を有する制御手段とを備え、前記制御手段は、前記ＰＭＤとの接続の遮断を検出したときに前記タイマ機能に基づいて該遮断時の時刻の情報を前記記憶手段に格納し、該ＰＭＤとの再接続を検出したときに、前記遮断時の時刻の情報を基に、該ＰＭＤに格納されている全ファイルのうち当該時刻以降に更新されたファイルの有無を検索し、新規ファイルが追加されていると判定したときにその旨の案内情報を前記表示手段の画面に表示させることを特徴とするオーディオ／ビデオ（Ａ／Ｖ）再生装置が提供される。
【００１７】
この形態に係るオーディオ／ビデオ（Ａ／Ｖ）再生装置によれば、ＰＭＤとの接続が遮断されたときに該遮断時の時刻の情報を記憶手段に格納し、該ＰＭＤが再度接続されたときに、前記遮断時の時刻の情報を基に、該ＰＭＤに格納されている全ファイルのうち当該時刻以降に更新されたファイルの有無を検索するようにしている。そして、新規ファイルが追加されている場合には、その旨の案内情報を表示手段を介してユーザに通知するようにしている。
【００１８】
これにより、上記の形態に係るＡ／Ｖ再生装置の場合と同様に、ユーザは、画面に表示された案内情報を確認することで当該ＰＭＤに新規ファイルが追加されているかどうかを知ることができるので、必要に応じて当該新規ファイルを画面にリスト表示させ、当該ファイルの選択（再生に係る操作）を行うことができる。つまり、ユーザにとって煩わしい操作を必要とすることなく、ＰＭＤ内の更新情報に対して容易に選択を行うことが可能となる。
【００１９】
また、本発明のさらに他の形態によれば、上記の各形態に係るＡ／Ｖ再生装置を備えたＡ／Ｖシステムであって、前記携帯型メディア機器は、自己を特定する識別情報を保有すると共に、外部から取り込んだＡ／Ｖファイルを格納する記憶手段を備え、前記携帯型メディア機器と前記Ａ／Ｖ再生装置の接続が遮断されている間に新規ファイルを前記記憶手段に取り込み、前記携帯型メディア機器が前記Ａ／Ｖ再生装置に接続されている間に当該ファイルのデータを前記識別情報と共に前記Ａ／Ｖ再生装置に出力することを特徴とするＡ／Ｖシステムが提供される。
【００２０】
さらに本発明の他の形態によれば、上記の各形態に係るＡ／Ｖ再生装置において行う更新情報通知方法が提供される。その一形態に係る更新情報通知方法は、Ａ／Ｖファイルを格納すると共にファイルのデータを出力する機能を備えた携帯型メディア機器に通信可能に接続されるＡ／Ｖ再生装置において、前記携帯型メディア機器が接続されている間に、該携帯型メディア機器に格納されている全ファイルのリストを作成して記憶手段に格納しておき、前記携帯型メディア機器との接続が遮断されてから該携帯型メディア機器が再度接続されたときに、該携帯型メディア機器に格納されている全ファイルのリストを前記記憶手段に格納されているファイルリストと比較して更新されたファイルの有無を検索し、新規ファイルが追加されている場合にその旨の案内情報を表示手段を介して通知することを特徴とする。
【００２１】
また、他の形態に係る更新情報通知方法は、Ａ／Ｖファイルを格納すると共にファイルのデータを出力する機能を備えた携帯型メディア機器に通信可能に接続されるＡ／Ｖ再生装置において、前記携帯型メディア機器との接続が遮断されたときに、該遮断時の時刻の情報を記憶手段に格納し、前記携帯型メディア機器が再度接続されたときに、前記遮断時の時刻の情報を基に、該携帯型メディア機器に格納されている全ファイルのうち当該時刻以降に更新されたファイルの有無を検索し、新規ファイルが追加されている場合にその旨の案内情報を表示手段を介して通知することを特徴とする。
【００２２】
本発明に係るＡ／Ｖ再生装置等の他の構成上の特徴及びそれに基づく具体的な処理態様等については、後述する発明の実施の形態を参照しながら詳細に説明する。
【発明を実施するための最良の形態】
【００２３】
以下、本発明の実施の形態について、添付の図面を参照しながら説明する。
【００２４】
図１は本発明の一実施形態に係る車載用オーディオ／ビデオ（Ａ／Ｖ）再生装置を含むシステムの概略構成を模式的に示したものである。本実施形態では、本発明に係るＡ／Ｖ再生装置を車載Ａ／Ｖ・ナビゲーションシステムの一部（例えば、ＣＤ再生装置やＤＶＤ再生装置などの車載Ａ／Ｖ機器の一部）として組み込んだ場合を想定している。図示のように、本実施形態の車載用Ａ／Ｖ再生装置１０には、携帯型メディア機器（ＰＭＤ）としての携帯音楽再生装置２０がＵＳＢケーブルＣＢを介して着脱自在に接続され、この携帯音楽再生装置（ＰＭＤ）２０に対しＰＣ３０から音楽ファイルが適宜転送され、保存されるようになっている。Ａ／Ｖ再生装置１０は、特に図示はしないがシステムバスを介して他の車載機器（ナビゲーションユニットや、ラジオ受信機、ＴＶ受信機などの他のＡ／Ｖ機器）に接続されている。
【００２５】
本実施形態では、携帯音楽再生装置（ＰＭＤ）２０として、前述したｉＰｏｄ（アップル・コンピュータ社製のデジタル音楽プレーヤ）を想定している。すなわち、インターネット等を介して配信された音楽ファイルをいったんＰＣ３０にダウンロードし、このＰＣ３０からｉＰｏｄ２０に適宜音楽ファイルをチェックアウト（転送）した後、当該ファイルの情報をケーブルＣＢを介してＡ／Ｖ再生装置１０に取り込み、再生出力する。
【００２６】
次に、本実施形態に係る車載用Ａ／Ｖ再生装置１０及びこれに接続されるＰＭＤ２０の構成について、図２を参照しながら説明する。
【００２７】
本実施形態に係る車載用Ａ／Ｖ再生装置１０は、図示のように主制御部としての中央処理演算装置（ＣＰＵ）１１と、接続機器（この場合、ＰＭＤ２０）を識別する機能を備えた通信制御部１２と、メモリ１３と、再生データ格納用のバッファメモリ１４と、再生データ出力部１５と、スピーカ１６と、表示制御部１７と、画面を介して情報を提供するモニタ１８と、操作部１９とを備えている。１２〜１５、１７及び１９の各機能ブロックはＣＰＵ１１に動作可能に接続されており、ＣＰＵ１１と通信制御部１２と表示制御部１７はマイクロコンピュータ（マイコン）等により構成されている。
【００２８】
ＣＰＵ１１は、基本的には接続機器（ＰＭＤ２０）から送られてくるＡ／Ｖデータ（音楽ファイル）の受信及びその再生出力に係る処理を制御するものであり、本発明に関連する処理として、後述するように本装置１０において行うＰＭＤ２０内の更新履歴の検索及びそれに基づいた通知に係る処理を制御する機能を有している。さらにＣＰＵ１１は、後述するように特定の実施形態においてはタイマ機能を内蔵している。
【００２９】
通信制御部１２は、接続機器（ＰＭＤ２０）との間でケーブルＣＢを介した通信を制御するためのインタフェースであり、ＣＰＵ１１と協働して、ＰＭＤ２０が接続されているか、又はその接続が遮断されている（ＰＭＤ２０が本装置１０から抜き去られている）かを検出する機能を備えている。また、通信制御部１２は、あらかじめ接続される予定のある各ＰＭＤをそれぞれ固有に特定する識別情報を格納したテーブル等を保有している。これにより、本装置１０に任意のＰＭＤが接続されたときに、ＣＰＵ１１からの制御に基づきそのＰＭＤと通信することで当該ＰＭＤから識別情報を取得し、保有している識別情報と比較照合して、当該ＰＭＤが以前に接続されたＰＭＤであるか、別のＰＭＤであるかを判定することができる（接続機器識別機能）。例えば、本装置１０に接続することが想定される２つのＰＭＤ（ｉＰｏｄ１、ｉＰｏｄ２）があった場合、最初にｉＰｏｄ１が接続されていてそのｉＰｏｄ１が抜き去られた後、本装置１０にｉＰｏｄ２が接続された場合でも、上記の「接続機器識別機能」により、現在接続されているＰＭＤを特定することができる。さらに、接続機器識別機能をもたせることで、接続機器（ＰＭＤ２０）との間で一種の認証を行っていることになり、ＰＭＤ２０に保存されている（再生出力の対象となる）音楽ファイルの著作権保護の観点から有用である。
【００３０】
メモリ１３はＲＡＭやフラッシュメモリ等の記録媒体からなり、このメモリ１３には、後述するようにＣＰＵ１１からの制御に基づいて、接続中のＰＭＤ２０に保存されている全ファイルのリストが格納され、あるいは、接続中のＰＭＤ２０が本装置１０から抜き去られた時の時刻の情報が格納される。バッファメモリ１４は、メモリ１３と同様にＲＡＭやフラッシュメモリ等の記録媒体からなり、ＰＭＤ２０から通信制御部１２を介して送られてくる音楽ファイル（再生データ）を一時的に格納しておくためのものである。本実施形態では、説明の簡単化のため、ＰＭＤ２０から出力されるファイル（データ）は、ＰＭＤ２０内で既に所要のデコード処理（所定のフォーマットで圧縮されたデータを元のデータに復元する伸長処理や、暗号化されているデータを解読する処理等）が行われた後のデータを想定している。従って、バッファメモリ１４にはＰＣＭ形式等のデジタル非圧縮データ（再生データ）が格納される。
【００３１】
再生データ出力部１５は、ＣＰＵ１１からの制御に基づき、バッファメモリ１４に格納された音楽ファイル（再生データ）をスピーカ１６に出力するためのブロックであり、入力された再生データ（デジタル）をアナログ信号に変換し、適宜音量増幅等を行った後、音声信号としてスピーカ１６に供給する。なお、スピーカ１６は、車室内の所定の場所に所要の個数（例えば、フロント席の左右の近傍とリア席（１列）の左右の近傍にそれぞれ２個ずつ）設置されている。
【００３２】
表示制御部１７は、ＣＰＵ１１からの制御に基づき、モニタ１８の画面に表示すべき情報の表示制御を行うためのブロックである。モニタ１８は、運転者と助手席の乗員が共用できるように両者の中間のセンターコンソール上に配置されており、例えば、液晶パネルや有機ＥＬパネル等により構成されている。このモニタ１８の画面には、表示制御部１７からの制御に基づき、本装置１０（他のＡ／Ｖ機器も含む）から出力された各種の映像情報（音楽ファイルの内容に関する情報であれば、楽曲名、アーティスト名、アルバム名など）の他に、各種操作指示に関連した情報や操作画面などが表示される。さらに本発明に関連する情報として、後述するようにＣＰＵ１１からの制御に基づいて、所定の期間（接続していたＰＭＤ２０が抜き去られてから再度接続されるまでの期間）に当該ＰＭＤ２０に新規ファイルが追加されている場合にその旨の案内情報が表示される。
【００３３】
操作部１９は、図１に模式的に示すように本装置１０のフロントパネル上に表示部（モニタ１８）と共に配設され、各種の操作キーを備えている。例えば、電源のオン／オフキー、音量調整用のキー、各種Ａ／Ｖソースを選択するための選択キー、再生動作を起動／停止させるための再生／停止キー、次曲／前曲等をサーチするためのシーク・アップ／ダウンキー、モニタ１８の画面に各種操作画面を表示させたり、画面上の各種メニューや項目等を選択したり、選択したメニュー等を実行させるためのキーなどを備えている。
【００３４】
一方、ＰＭＤ（ｉＰｏｄ）２０は、本発明に関連する機能ブロックとして、外部機器との間で音楽ファイルの入出力を制御する制御部２１と、この制御部２１に動作可能に接続されたメモリ２２とを備えている。メモリ２２には、上述したようにＰＣ３０から転送された音楽ファイル（データ）が格納されている。この音楽ファイルには、再生用のオーディオデータの他に、このオーディオデータを特定する情報（アルバム名や楽曲タイトル名など）が含まれている。例えば、ＭＰ３(MPEG Audio Layer-3)やＡＴＲＡＣ３(Adaptive TRansform Acoustic Coding 3)の圧縮オーディオフォーマットでファイルが格納された場合には当該ファイルの先頭位置にタグ情報が含まれ、ＡＡＣ(Advanced Audio Coding) やＷＭＡ(Windows Media Audio) の圧縮オーディオフォーマットで格納された場合には当該ファイルの先頭位置にヘッダ情報が含まれており、タグ情報／ヘッダ情報のいずれにも、「アーティスト名」、「アルバム名」、「タイトル」などの当該ファイルを特定する情報が含まれている。
【００３５】
制御部２１は、Ａ／Ｖ再生装置１０における通信制御部１２と同様のインタフェース機能（通信制御機能）を有しており、自己（ＰＭＤ）を特定する識別情報を保有している。この制御部２１は、本発明に関連する処理として、Ａ／Ｖ再生装置１０との接続が遮断されてＰＣ３０に接続されている間に、ＰＣ３０から新規の音楽ファイルを取り込んでメモリ２２に格納する一方で、ケーブルＣＢを介してＡ／Ｖ再生装置１０に接続されている間に、メモリ２２内のファイルを読み出して当該ファイルのデータを自己の識別情報と共にＡ／Ｖ再生装置１０に出力する。
【００３６】
以上のように構成された本実施形態のＡ／Ｖ再生装置１０を備えたシステムにおいて、ＣＰＵ１１は通信制御部１２及び表示制御部１７と協働して「制御手段」に、メモリ１３は「記憶手段」に、モニタ１８は「表示手段」に、ＰＭＤ２０は「携帯型メディア機器」に、メモリ２２は「記憶手段」に、それぞれ対応している。
【００３７】
以下、本実施形態に係る車載用Ａ／Ｖ再生装置１０において行うＰＭＤ２０内の更新履歴の検索及びそれに基づいた通知に係る処理について、その一例を示す図３を参照しながら説明する。初期状態として、ＰＭＤ２０にはＰＣ３０（図１）から転送された幾つかの音楽ファイル（データ）が格納されているものとし、このＰＭＤ２０が本装置１０に接続されているものとする。
【００３８】
この状態で最初のステップＳ１では、ＣＰＵ１１からの制御に基づき通信制御部１２を介して、接続中のＰＭＤ２０からタグ情報等（当該ＰＭＤに格納されている各ファイルをそれぞれ特定するアーティスト名、アルバム名などを含む情報）を取得し、その取得した情報等に基づいて、当該ＰＭＤにその時点で保存されている全ファイルのリストを作成する。タグ情報等の取得は、ＣＰＵ１１からの要求に基づいて行われる。
【００３９】
次のステップＳ２では、ＣＰＵ１１が通信制御部１２と協働して、その作成したファイルリストを当該ＰＭＤの識別情報に対応させてメモリ１３に格納する。すなわち、通信制御部１２では、接続中のＰＭＤ２０との間で通信のやりとりを行うことで当該ＰＭＤを特定する識別情報を取得し、ＣＰＵ１１では、その取得された識別情報に対応させて当該ファイルリストをメモリ１３に格納する。
【００４０】
次のステップＳ３では、ＣＰＵ１１が通信制御部１２と協働して、当該ＰＭＤ２０が本装置１０から抜き去られたことを検出する。このような「ＰＭＤの抜去」は、当該ＰＭＤが単独で音楽ファイルを再生出力する場合や、当該ＰＭＤにＰＣ等から新規ファイルをチェックアウト（転送）する場合に必然的に行われる。本実施形態では、後者の場合を意図している。つまり、ＰＭＤ２０が本装置１０から抜き去られている間にＰＭＤ２０に対しＰＣ３０から新たにファイルが追加されている場合を想定している。
【００４１】
次のステップＳ４では、ＣＰＵ１１が通信制御部１２と協働して、本装置１０にＰＭＤが接続された（ＹＥＳ）か否（ＮＯ）かを判定する。判定結果がＹＥＳの場合にはステップＳ５に進み、判定結果がＮＯの場合には本処理フローは「終了」となる。
【００４２】
次のステップＳ５では、ＣＰＵ１１が通信制御部１２と協働して、その接続されたＰＭＤは前回接続時のＰＭＤ２０と同じである（ＹＥＳ）か否（ＮＯ）かを判定する。すなわち、通信制御部１２では、今回接続されたＰＭＤとの間で通信のやりとりを行うことで当該ＰＭＤを特定する識別情報を取得し、ＣＰＵ１１では、その取得された識別情報と、メモリ１３に格納されているファイルリストに付与された識別情報とを比較し、その結果に基づいて今回のＰＭＤが前回のＰＭＤ２０と同じであるか否かを判定する。そして、判定結果がＹＥＳの場合にはステップＳ６に進み、判定結果がＮＯの場合にはステップＳ１に戻って上記の処理を繰り返す。
【００４３】
次のステップＳ６では（同じＰＭＤ２０が再度接続された場合）、ステップＳ１で行った処理と同様にして、ＣＰＵ１１からの制御に基づき通信制御部１２を介して、当該ＰＭＤ２０からタグ情報等を取得し、メモリ１３に格納されている当該ＰＭＤ２０のファイルリストの内容と比較する。つまり、当該ＰＭＤ２０の抜去時点（ステップＳ３）から再度接続された時点（ステップＳ４）までの間の当該ＰＭＤ２０における更新ファイルの有無を検索する。
【００４４】
また、ステップＳ１、Ｓ２で行った処理と同様にして、当該ＰＭＤ２０から取得した情報等に基づいて、当該ＰＭＤにその時点で保存されている全ファイルのリストを作成し、当該ＰＭＤの識別情報に対応させてメモリ１３に格納しておく。
【００４５】
次のステップＳ７では、ＣＰＵ１１において、前ステップで行った比較の結果に基づいて、当該ＰＭＤ２０に新規ファイルが追加されている（ＹＥＳ）か否（ＮＯ）かを判定する。判定結果がＹＥＳの場合にはステップＳ８に進み、判定結果がＮＯの場合には本処理フローは「終了」となる。
【００４６】
最後のステップＳ８では、ＣＰＵ１１からの制御に基づいて、新規ファイルが追加されている旨の通知と共に、そのファイルの再生の要否を確認する旨の通知を行う。この通知は、画面表示を介して行ってもよいし、あるいは音声案内を介して行ってもよい。
【００４７】
例えば、画面表示の場合、ＣＰＵ１１からの制御に基づき表示制御部１７を介してモニタ１８の画面に、その追加されている新規ファイルを再生するかしないかを問い合わせる案内情報を表示する。図４はその場合の画面表示例を示したものである。図示の例では、モニタ１８の表示画面４０に、英語表記で「新規ファイルが見つかりました。今直ぐ再生しますか？」といった案内情報と共に、再生を希望する場合に操作する「ＹＥＳ」ボタン４１と、再生を希望しない場合に操作する「ＮＯ」ボタンとが表示されている。一方、音声案内の場合には、ＣＰＵ１１からの制御に基づき再生データ出力部１５を介してスピーカ１６からその旨を音声出力させる。
【００４８】
ステップＳ８の後の処理については、本処理（ＰＭＤ２０内の更新履歴の検索に係る処理）とは直接関係しないので図示はしていないが、例えば、上記の通知（図４の表示画面４０）に対してユーザが新規追加ファイルの再生を希望した場合（「ＹＥＳ」ボタン４１を操作した場合）には、その新規追加ファイルをモニタ１８の画面にリスト表示する。その際、メモリ１３に格納されている全ファイルのリストの中から新規に追加されたファイルのみを抽出してリスト表示させるようにしてもよいし、あるいは、追加分を含めた全ファイルをリスト表示させるようにしてもよい。ただし、後者の場合には、ユーザの選択の便宜を図るため、新規追加ファイルの情報を相対的に目立つ表示態様（他のファイルの情報とは異なる表示態様）で表示させるのが望ましい。
【００４９】
以上説明したように、本実施形態に係る車載用Ａ／Ｖ再生装置１０（図２）において行うＰＭＤ２０内の更新履歴の検索及びそれに基づいた通知に係る処理（図３）によれば、ＰＭＤ２０が接続されている間に、該ＰＭＤ２０に格納されている全ファイルのリストを作成してメモリ１３に格納しておき（Ｓ１，Ｓ２）、該ＰＭＤ２０が抜き去られてから再度接続されたときに（Ｓ３〜Ｓ５）、該ＰＭＤ２０に格納されている全ファイルのリストをメモリ１３に格納されているファイルリストの内容と比較することで、接続していたＰＭＤ２０が抜き去られてから再度接続されるまでの間に該ＰＭＤ２０に新規ファイルが追加されているかどうか（更新ファイルの有無）を検索するようにしている（Ｓ６）。そして、新規ファイルが追加されている場合には（Ｓ７）、その旨の通知と共に、当該ファイルの再生の要否を確認する旨の通知を、ユーザに対し、画面表示／音声案内を介して行うようにしている（Ｓ８）。
【００５０】
これによって、ユーザは、従来のようにＰＭＤ内の全ファイル（更新ファイルの有無にかかわらず）に対して所要の検索（アーティスト検索、アルバム検索など）、選択操作を行わなくても、モニタ１８の画面４０（図４）に表示された案内情報を確認することで、ＰＭＤ２０に新規ファイルが追加されているかどうかを知ることができる。そして、必要であれば、メモリ１３に格納されているＰＭＤ２０内の全ファイルのリストの中から新規に追加されたファイルのみを抽出してモニタ画面にリスト表示させることで、当該ファイルの再生に係る操作を行うことができる。つまり、ユーザにとって煩わしい操作を必要とすることなく、ＰＭＤ２０内の更新情報（追加された新規ファイル）に対して容易に選択を行うことが可能となる。
【００５１】
図５はその場合のユーザ操作に基づいた検索処理の一例を示したものであり、ＰＭＤの抜去時点から再度の接続時点までの間に当該ＰＭＤに追加された新規ファイルを再生する場合の処理フローを示している。図７に例示した従来の処理フローと対比させると、本実施形態に係る処理フローでは、新規追加ファイルを再生させるにあたり、ユーザは当該ファイルを検索する必要がない。つまり、従来の処理（図７）で必要としていた「検索モード選択」以降の煩わしい検索／選択操作が不要となる。
【００５２】
上述した実施形態では、ＰＭＤ２０が本装置１０に接続されている時に取得したＰＭＤ２０内の全ファイルのリストと、ＰＭＤ２０が抜き去られてから再度接続された時に取得したＰＭＤ２０内の全ファイルのリストとの比較に基づいてＰＭＤ２０内の更新履歴（ファイル）の検索を行う場合（図３）を例にとって説明したが、ＰＭＤ内の更新履歴の検索を行う形態がこれに限定されないことはもちろんである。要は、車載機側（Ａ／Ｖ再生装置１０）において、接続していたＰＭＤが抜き去られてから再度接続されるまでの間に当該ＰＭＤに新たにファイルが追加されているかどうかを検出できるような何らかの手段を備えていれば十分である。例えば、接続中のＰＭＤの抜去を検出したときにその時点での時刻を記録しておき、当該ＰＭＤが再度接続されたときに、当該時刻をベースにしてそれ以降に追加された新規ファイルがあるかどうかを検索するようにしてもよい。図６はその場合の処理の一例を示したものである。
【００５３】
図６に例示する処理フローでは、図３に示した処理フローの場合と同様に、その初期状態として、ＰＭＤ２０にはＰＣ３０（図１）から転送された幾つかの音楽ファイル（データ）が格納され、このＰＭＤ２０がＡ／Ｖ再生装置１０に接続されているものとする。
【００５４】
この状態で最初のステップＳ１１では、ＣＰＵ１１が通信制御部１２と協働して、接続中のＰＭＤ２０の抜去を検出した（ＹＥＳ）か否（ＮＯ）かを判定する。判定結果がＹＥＳの場合にはステップＳ１２に進み、判定結果がＮＯの場合には本処理フローは「終了」となる。
【００５５】
次のステップＳ１２では（ＰＭＤ２０の抜去を検出した場合）、ＣＰＵ１１が通信制御部１２と協働して、その抜去時の時刻の情報を当該ＰＭＤの識別情報に対応させてメモリ１３に格納する。すなわち、通信制御部１２では、接続中のＰＭＤ２０との間で通信のやりとりを行うことで当該ＰＭＤを特定する識別情報を取得し、ＣＰＵ１１では、内蔵のタイマ機能により当該ＰＭＤ２０の抜去時の時刻を算出し、その抜去時の時刻（情報）をその識別情報に対応させてメモリ１３に格納する。
【００５６】
次のステップＳ１３では、ＣＰＵ１１が通信制御部１２と協働して、本装置１０にＰＭＤが接続された（ＹＥＳ）か否（ＮＯ）かを判定する。判定結果がＹＥＳの場合にはステップＳ１４に進み、判定結果がＮＯの場合には本処理フローは「終了」となる。
【００５７】
次のステップＳ１４では、図３のステップＳ５で行った処理と同様にして、ＣＰＵ１１が通信制御部１２と協働して、その接続されたＰＭＤは前回抜去時のＰＭＤ２０と同じである（ＹＥＳ）か否（ＮＯ）かを判定する。判定結果がＹＥＳの場合にはステップＳ１５に進み、判定結果がＮＯの場合にはステップＳ１１に戻って上記の処理を繰り返す。
【００５８】
次のステップＳ１５では（同じＰＭＤ２０が再度接続された場合）、ＣＰＵ１１からの制御に基づき通信制御部１２を介して当該ＰＭＤ２０にアクセスし、メモリ１３に格納されている当該ＰＭＤ２０の前回の抜去時の時刻（情報）を基に、それ以降に追加された新規ファイルがあるかどうかをファイル情報に付与されたタイムスタンプから判断する。つまり、当該ＰＭＤ２０の抜去時点（ステップＳ１２）から再度接続された時点（ステップＳ１３）までの間の当該ＰＭＤ２０における更新ファイルの有無を検索する。
【００５９】
次のステップＳ１６では、ＣＰＵ１１において、前ステップで行った検索の結果に基づいて、当該ＰＭＤ２０に新規ファイルが追加されている（ＹＥＳ）か否（ＮＯ）かを判定する。判定結果がＹＥＳの場合にはステップＳ１７に進み、判定結果がＮＯの場合には本処理フローは「終了」となる。
【００６０】
最後のステップＳ１７では、図３のステップＳ８で行った処理と同様にして、新規ファイルが追加されている旨、及びそのファイルの再生の要否を確認する旨をユーザに通知する（画面表示／音声案内）。そして、この後の処理については、上述したステップＳ８の後の処理と同様にして、新規追加ファイルのみの選択的なリスト表示、あるいは、追加分を含めた全ファイルのリスト表示を行う。
【００６１】
以上説明したように、図６に例示したＰＭＤ２０内の更新履歴の検索及びそれに基づいた通知に係る処理によれば、接続中のＰＭＤ２０の抜去を検出したときにその抜去時の時刻の情報をメモリ１３に格納し（Ｓ１１，Ｓ１２）、該ＰＭＤ２０が再度接続されたときに（Ｓ１３，Ｓ１４）、メモリ１３に格納されている当該ＰＭＤ２０の前回の抜去時の時刻（情報）を基に、当該時刻以降に該ＰＭＤ２０に新規ファイルが追加されているかどうか（更新ファイルの有無）を検索するようにしている（Ｓ１５）。そして、新規ファイルが追加されている場合には（Ｓ１６）、その旨の通知と共に、当該ファイルの再生の要否を確認する旨の通知を、画面表示／音声案内を介して行うようにしている（Ｓ１７）。
【００６２】
これによって、図３に例示した処理フローの場合と同様に、ユーザは、モニタ１８の画面に表示された案内情報を確認することで当該ＰＭＤ２０に新規ファイルが追加されているかどうかを知ることができ、必要であれば、当該新規ファイルを画面にリスト表示させることで、当該ファイルの選択（再生に係る操作）を行うことができる。
【００６３】
上述した実施形態では、車載用Ａ／Ｖ再生装置１０を車載システムの一部として組み込んだ場合を例にとって説明したが、本発明に係るＡ／Ｖ再生装置は、必ずしも車両に搭載される必要がないことはもちろんである。要は、上述したように接続中のＰＭＤ２０との接続が遮断されてから再度接続されるまでの間に当該ＰＭＤに新規ファイルが追加されているかどうかを検出できる手段を備えていれば十分であり、かかる手段を備えたＡ／Ｖ再生装置であれば、本発明は車載用に限らず、家庭用などの一般的なＡ／Ｖ関連機器及びそのシステムにも同様に適用することが可能である。例えば、最近普及しつつあるホームネットワーク等における設置型端末（Ａ／Ｖ再生機能を備えたテレビなど）に対しても、本発明は同様に適用することが可能である。
【００６４】
また、上述した実施形態では、車載用Ａ／Ｖ再生装置１０とＰＭＤ２０をＵＳＢケーブルで接続した場合を例にとって説明したが、両者の通信接続形態は必ずしもケーブル等の有線接続である必要はなく、無線ＬＡＮ等を利用した無線接続によって両者を接続することも可能である。無線接続とする場合には、車載用Ａ／Ｖ再生装置１０において通信制御部１２の代わりに、ＰＭＤとの間で無線によるデータの授受を制御するためのインタフェース（無線ＬＡＮモジュールや無線ＬＡＮドライバ等）が設けられる。この場合、このインタフェースは通信制御部１２と同様の「接続機器識別機能」を有し、例えば、ＰＭＤ側から送信される制御信号（当該ＰＭＤを特定する識別情報を含む）の受信の有無を検出することで、当該ＰＭＤと接続されている状態にあるか、又はその接続が遮断されている状態にあるかを検知することができる。
【図面の簡単な説明】
【００６５】
【図１】本発明の一実施形態に係る車載用オーディオ／ビデオ（Ａ／Ｖ）再生装置を含むシステムの概略構成を模式的に示す図である。
【図２】図１の実施形態に係る車載用Ａ／Ｖ再生装置の構成をＰＭＤの構成と共に概略的に示すブロック図である。
【図３】図２の車載用Ａ／Ｖ再生装置において行うＰＭＤ内の更新履歴の検索及びそれに基づいた通知に係る処理の一例を示すフロー図である。
【図４】図３の処理フローにおいてステップＳ８で行う処理を補足説明するための画面表示例を示す図である。
【図５】本発明の効果を説明するための処理フロー（ＰＭＤの抜去時点から再度の接続時点までの間に当該ＰＭＤに追加された新規ファイルを再生する場合の処理フロー）を示す図である。
【図６】図２の車載用Ａ／Ｖ再生装置において行うＰＭＤ内の更新履歴の検索及びそれに基づいた通知に係る処理の他の例を示すフロー図である。
【図７】従来技術に係る、ＰＭＤの抜去時点から再度の接続時点までの間に当該ＰＭＤに追加された新規ファイルを再生する場合の処理フローの一例を示す図である。
【図８】図７の処理フローを補足説明するための図である。
【符号の説明】
【００６６】
１０…車載用オーディオ／ビデオ（Ａ／Ｖ）再生装置、
１１…ＣＰＵ（制御手段）、
１２…通信制御部（制御手段）、
１３…メモリ（記憶手段）、
１４…バッファメモリ、
１６…スピーカ、
１７…表示制御部（制御手段）、
１８…モニタ（表示手段）、
２０…携帯音楽再生装置（ＰＭＤ／携帯型メディア機器）、
２１…制御部、
２２…メモリ（記憶手段）、
４０…表示画面。
【図１】
2008041225.tif 000003
【図２】
2008041225.tif 000004
【図３】
2008041225.tif 000005
【図４】
2008041225.tif 000006
【図５】
2008041225.tif 000007
【図６】
2008041225.tif 000008
【図７】
2008041225.tif 000009
【図８】
2008041225.tif 000010